(57)【要約】【課題】電動工具、特にインパクトドライバーにおいて回転駆動する出力部に装着して回転力を衝撃力に変換し、多様な用途の先端工具の使用を可能とする運動変換アダプターを提供する。【解決手段】出力部３が回転運動する電動工具２に装着するものであって、ケーシング４の一端に電動工具２の出力部３に装着する入力軸５を有し、ケーシング４の他端に配置した出力軸６に先端工具２５を装着するためのチャック部７を有し、入力軸５と出力軸６の間に入力軸５の回転運動を出退（直線）運動に変換する運動変換機構を設けた。【選択図】図１
0003117785.tif 000002
【実用新案登録請求の範囲】
【請求項１】
出力部が回転運動する電動工具に装着するものであって、ケーシングの一端に電動工具の出力部に装着する入力軸を有し、ケーシングの他端に配置した出力軸に先端工具を装着するためのチャック部を有し、入力軸と出力軸の間に入力軸の回転運動を出退（直線）運動に変換する運動変換機構を設けたことを特徴とする電動工具に装着する運動変換アダプター。
【考案の詳細な説明】
【技術分野】
【０００１】
本考案は電動工具に装着する運動変換アダプターに関し、電動ドライバー等の回転駆動する出力部に装着して回転力を衝撃力に変換し、多様な用途の先端工具の使用を可能とする技術に係るものである。
【背景技術】
【０００２】
従来、充電式電池を電源とするコードレスの電動工具が家庭用にも普及しており、携帯式の電動ドリルや電動ドライバー等の電動工具として穴開け、ねじやボルトの締め付け等の作業に使用されている。これらの電動工具においては、回転速度や回転トルクの調整、回転方向切り換え等の機能を備えており、用途に応じて先端工具を交換できる。
【０００３】
これらの電動工具の一例として、特許文献１には、回転駆動されるハンマーによる打撃衝撃を出力軸に加えることで締め付け作業を行うインパクトレンチやインパクトドライバーに関するものが記載されている。
【０００４】
その構造は、モータの回転力を減速部で減速させて駆動軸に伝達し、駆動軸の外周に配置したハンマーを駆動軸に設けたカムを介して回転させるものであり、先端工具に連結する出力軸に負荷がかかる状態で、カムに誘導されて相対回転するハンマーがばねに抗して後退し、ばねの復元力によってハンマーの打撃部が出力軸のアンビル部に衝撃的に係合して出力軸に回転力を与えるものである。
【特許文献１】特開平７−９６４７４号公報
【考案の開示】
【考案が解決しようとする課題】
【０００５】
ところで、このような電動工具はその内部構造において出力軸の運動方向が回転方向もしくは出退方向（打撃、振動）に限られており、出力軸に装着する先端工具も限られた用途のものとなる。例えば、電動ドリルや電動ドライバーでは出力軸が回転運動するので装着する先端工具が穴開け用途のドリルや、ねじやボルトの締め付け用途のドライバーに限定される。また、電気ハンマードリルでは出力軸が出退（直線）運動するので装着する先端工具が打撃用途のハンマーや、削岩用途のビットに限定される。
【０００６】
しかし、現場における作業の種類には種々のものがあり、使用する先端工具にも用途毎に種々ものある。このため、用途毎の電動工具を携行することは作業者にとって負荷となっており、１台の電動工具においてより多くの用途に対応できるものが求められている。
【０００７】
本考案は上記した課題を解決するものであり、電動工具、特にインパクトドライバーにおいて回転駆動する出力部に装着して回転力を衝撃力に変換し、多様な用途の先端工具の使用を可能とする運動変換アダプターを提供することを目的とする。
【課題を解決するための手段】
【０００８】
上記課題を解決するために、本考案の電動工具に装着する運動変換アダプターは、出力部が回転運動する電動工具に装着するものであって、ケーシングの一端に電動工具の出力部に装着する入力軸を有し、ケーシングの他端に配置した出力軸に先端工具を装着するためのチャック部を有し、入力軸と出力軸の間に入力軸の回転運動を出退（直線）運動に変換する運動変換機構を設けたものである。
【０００９】
上記した構成において、使用に際しては、例えば剥離、切削等の用途に使用するスクレーパーをチャック部に装着する。ケーシングを把持する状態において、電動工具の出力部の回転に伴って入力軸が回転運動し、入力軸の回転運動が運動変換機構で出退（直線）運動に変換されて出力軸が軸心方向に出退する。出力軸の出退によってチャック部および先端工具のスクレーパーが出退して剥離、切削等の作業を行う。
【考案の効果】
【００１０】
以上の本考案によれば、先端工具として穴開け用途のドリルや、ねじやボルトの締め付け用途のドライバーを専ら装着する電動ドリルや電動ドライバー、インパクトドライバー等において、運動変換アダプターを装着することによって、出力部の回転運動を出退（直線）運動に変換することで、先端工具として打撃用途のハンマーや、削岩用途のビットや、剥離、切削等の用途のスクレーパーを使用することができ、電動工具の用途を拡大することができる。
【考案を実施するための最良の形態】
【００１１】
以下、本考案の実施の形態を図面に基づいて説明する。図１から図４において、運動変換アダプター１は例えば電動工具であるインパクトドライバー２に使用するものであり、インパクトドライバー２の出力部をなすドライバーチャック部３に装着する。
【００１２】
運動変換アダプター１は、ケーシング４の一端にインパクトドライバー２のドライバーチャック部３に装着する入力軸５を有し、ケーシング４の他端に配置した出力軸６に先端工具を装着するためのチャック部７を有している。
【００１３】
入力軸５と出力軸６間には入力軸５の回転運動を出退（直線）運動に変換する運動変換機構を設けている。運動変換機構は、入力軸５と一体に回転する駆動側クラッチ８と、出力軸６と一体に軸心方向へ出退する従動側クラッチ９と、駆動側クラッチ８に設けたカム部１０と、従動側クラッチ９に設けたフォロアー部１１と、従動側クラッチ９を駆動側クラッチ８へ向けて押圧するスプリング１２を備えている。
【００１４】
カム部１０はフォロアー部１１に外嵌合しており、カム部１０の内側のカム面でフォロアー部１１の外側の摺動面を入力軸５の軸心廻りに押圧することで、フォロアー部１１および従動側クラッチ９がスプリング１２の押圧力に抗して駆動側クラッチ８から離間する方向に移動する。
【００１５】
カム部１０が駆動側クラッチ８と一体に回転するのに伴って、カム部１０とフォロアー部１１は係合・離脱を繰り返し、係合時にフォロアー部１１が従動側クラッチ９と一体にスプリング１２の押圧力に抗して駆動側クラッチ８から離間する方向に移動し、離脱時にスプリング１２の復元力によってフォロアー部１１が従動側クラッチ９と一体に駆動側クラッチ８へ接近する方向へ移動することで、駆動側クラッチ８の回転運動が従動側クラッチ９の出退（直線）運動へ変換される。
【００１６】
出力軸６は断面が多角形状、ここでは六角形をなし、出力軸６を挿通するケーシング４の挿入孔１３が出力軸６の多角形状に相応する形状をなし、出力軸６は挿入孔１３においてケーシング４に軸心廻りにおいて係合し、かつ軸心方向へ出退自在に保持されており、この構造によって駆動側クラッチ８から従動側クラッチ９へ伝わる回転力に対する反力をケーシング４で取る。
【００１７】
入力軸５はベアリングからなる軸受１４を介してケーシング４に回転自在に保持されており、軸受１４はベアリングロックネジ１５で軸心方向において固定し、一つ割りのリング１６によってベアリングロックネジ１５を軸心方向において抜け止めしている。
【００１８】
カム部１０およびフォロアー部１１の近傍において駆動側クラッチ８および従動側クラッチ９の外周面には環状溝１７、１８を形成しており、環状溝１７、１８にＯリング１９、２０を装着している。また、双方のＯリング１９、２０の間に対応する位置においてケーシング４にグリス注入口２１を形成しており、グリス注入口２１からカム部１０およびフォロアー部１１の嵌合部にグリスを充填している。
【００１９】
チャック部７は先端工具を把持する一対のチャック爪２２と、チャック爪２２を保持して出力軸６に固定した受け部２３と、チャック爪２２に外嵌して受け部２３に螺合装着する頭部締め付け部２４とを備え、頭部締め付け部２４の内周のテーパー面で双方のチャック爪２２を相互に押圧して先端工具を把持する。
【００２０】
本実施の形態において先端工具はスクレーパー２５であり、図２に示すように、スクレーパー２５としては万能刃２５ａ、細幅型２５ｂ、幅広型（刃付）２５ｃ等がある。先端工具はスクレーパー２５に限らず、破砕や切削等の用途に応じたビットも適用できる。
【００２１】
以下、上記構成における作用を説明する。運動変換アダプター１の使用に際しては、インパクトドライバー２のドライバーチャック部３に運動変換アダプター１の入力軸５を装着し、運動変換アダプター１のチャック部７にスクレーパー２５を装着する。本実施の形態では、図３に示すように、万能刃２５ａを装着する。
【００２２】
ケーシング４を把持する状態においてスクレーパー２５を対象物に押し当て、インパクトドライバー２を駆動する。インパクトドライバー２のドライバーチャック部３が回転することにより入力軸５が回転運動する。
【００２３】
入力軸５の回転運動は運動変換機構において出退（直線）運動に変換される。運動変換機構では、駆動側クラッチ８が入力軸５とともに回転し、カム部１０が駆動側クラッチ８と一体に回転するのに伴って、カム部１０とフォロアー部１１は係合・離脱を繰り返す。係合時にフォロアー部１１が従動側クラッチ９と一体にスプリング１２の押圧力に抗して駆動側クラッチ８から離間する方向に移動し、離脱時にスプリング１２の復元力によってフォロアー部１１が従動側クラッチ９と一体に駆動側クラッチ８へ接近する方向へ移動する。すなわち、カム部１０とフォロアー部１１の係合・離脱に伴って従動側クラッチ９が出退し、出力軸６が軸心方向に出退する。
【００２４】
この出力軸６の出退によってチャック部７および先端工具のスクレーパー２５が出退して剥離、切削等の作業を行う。
したがって、駆動側クラッチ８の回転運動が従動側クラッチ９の出退（直線）運動へ変換されることで、電動ドリルや電動ドライバー、インパクトドライバー等において、先端工具として打撃用途のハンマーや、削岩用途のビットや、剥離、切削等の用途のスクレーパーを使用することができ、電動工具の用途を拡大することができる。
【図面の簡単な説明】
【００２５】
【図１】本考案の実施の形態における運動変換アダプターの使用状態を示す模式図
【図２】（ａ）、（ｂ）、（ｃ）は同実施の形態における種々のスクレーパーを示す平面図
【図３】同実施の形態における運動変換アダプターの拡大図
【図４】同実施の形態における運動変換アダプターの断面図
【符号の説明】
【００２６】
１    運動変換アダプター
２    インパクトドライバー
３    ドライバーチャック部
４    ケーシング
５    入力軸
６    出力軸
７    チャック部
８    駆動側クラッチ
９    従動側クラッチ
１０    カム部
１１    フォロアー部
１２    スプリング
１３    挿入孔
１４    軸受
１５    ベアリングロックネジ
１６    リング
１７、１８  環状溝
１９、２０  Ｏリング
２１    グリス注入口
２２    チャック爪
２３    受け部
２４    頭部締め付け部
２５    スクレーパー
２５ａ  万能刃
２５ｂ  細幅型
２５ｃ  幅広型（刃付）
【図１】
0003117785.tif 000003
【図２】
0003117785.tif 000004
【図３】
0003117785.tif 000005
【図４】
0003117785.tif 000006